(57)【特許請求の範囲】
【請求項１】
両刃かみそりカートリッジであって、
ａ）剃毛面である第１面と、前記第１面の反対側かつ前記第１面と平行な剃毛面である第２面と、
ｂ）前記第１面と前記第２面の間に延在する複数の剃刃と、
ｃ）前記カートリッジをかみそり柄に係合するための少なくとも１つの柄係合区画と、
ｄ）前記第１面と前記第２面の各々にある少なくとも１つのガイドであって、剃毛中に柄ピンがそれに沿って移動する少なくとも１つのガイドと、を備え、
ｅ）前記剃刃の各々は、前記第１面から前記第２面まで延びている、
両刃かみそりカートリッジ。
【請求項２】
前記第１面と前記第２面は、スナップ係合、プレスフィット係合、超音波溶接係合、あるいは熱溶接係合のうちの１つによって接合されている、請求項１に記載の両刃かみそりカートリッジ。
【請求項３】
前記少なくとも１つの柄係合区画は、当該少なくとも１つの柄係合区画内に柄の一部を保持する保持部を有する、請求項２に記載の両刃かみそりカートリッジ。
【請求項４】
前記第１面と前記第２面の少なくとも一方に、加湿用細片とマッサージ用細片の少なくとも一方を更に備える、請求項３に記載の両刃かみそりカートリッジ。
【請求項５】
前記第１面と前記第２面の両方に、加湿用細片とマッサージ用細片の少なくとも一方を更に備える、請求項４に記載の両刃かみそりカートリッジ。
【請求項６】
前記少なくとも１つの柄係合区画内に複数の保持部を更に備える、請求項５に記載の両刃かみそりカートリッジ。
【請求項７】
前記保持部は少なくとも１つの突起を有する、請求項６に記載の両刃かみそりカートリッジ。
【請求項８】
両刃かみそりカートリッジであって、
ａ）剃毛面である第１面と、前記第１面の反対側かつ前記第１面と平行な剃毛面である第２面と、
ｂ）前記第１面と前記第２面の間に延在する少なくとも１枚の剃刃と、
ｃ）前記カートリッジをかみそり柄に係合するための前記第１面と前記第２面の各面に位置する少なくとも１つの柄係合区画と、を備え、
前記少なくとも１つの柄係合区画は、断面が円形であり、複数の突起によって区分けされる開口を有し、
前記少なくとも１枚の剃刃の各々は、前記第１面から前記第２面まで延びている、
両刃かみそりカートリッジ。
【請求項９】
前記第１面と前記第２面の少なくとも一方を覆うために前記かみそりカートリッジに取り付け可能な取り外し可能カバーを更に備える、請求項１に記載の両刃かみそりカートリッジ。
【請求項１０】
前記第１面と前記第２面の一方が剃毛のために使用されている間に他方の少なくとも一部を覆うために前記かみそりカートリッジに取り付け可能な取り外し可能カバーを更に備える、請求項１に記載の両刃かみそりカートリッジ。
【請求項１１】
当該カートリッジの互いに反対側の縁部に沿った把持部を更に備える、請求項１に記載の両刃かみそりカートリッジ。
【請求項１２】
前記把持部には溝が形成されている、請求項１１に記載の両刃かみそりカートリッジ。
【請求項１３】
前記把持部は、凹部または凸部またはその両方の組み合わせである、請求項１２に記載の両刃かみそりカートリッジ。
【請求項１４】
複数の傾斜したガイドを更に備える、請求項１に記載の両刃かみそりカートリッジ。
【請求項１５】
前記傾斜したガイドは、凹部または凸部またはその両方の組み合わせである、請求項１４に記載の両刃かみそりカートリッジ。
【請求項１６】
ａ）柄係合連結部を有する柄と、
ｂ）剃毛面である第１面と、前記第１面の反対側かつ前記第１面と平行な剃毛面である第２面とを有する両刃かみそりカートリッジであって、前記柄の前記柄係合連結部と係合するための少なくとも１つの柄係合区画を更に有する両刃かみそりカートリッジと、
ｃ）前記第１面と前記第２面の間に延在する複数の剃刃と、を備え、
ｄ）前記複数の剃刃の各々は、前記第１面に対して外方に延在する第１の自由端と、前記第２面に対して外方に延在する第２の自由端とを有し、各自由端は、それぞれの面に対して同じ方向を向いており、
ｅ）前記第１面は、前記カートリッジの長手軸の中心を通るように規定された軸に関し、前記第２面の鏡像であり、
ｆ）前記柄は、柄ピンを有し、
ｇ）前記両刃かみそりカートリッジは、前記第１面および前記第２面の各々にある少な
くとも１つのガイドであって、柄ピンがそれに沿って移動する少なくとも１つのガイドを有し、
ｈ）前記剃刃の各々は、前記第１面から前記第２面まで延びている、
かみそり。
【請求項１７】
前記少なくとも１つの柄係合区画は、前記柄係合連結部の一部を当該柄係合区画内に保持する保持部を有する、請求項１６に記載のかみそり。
【請求項１８】
前記第１面と前記第２面の少なくとも一方に、加湿用細片とマッサージ用細片の少なくとも一方を更に備える、請求項１７に記載のかみそり。
【発明の詳細な説明】
【技術分野】
【０００１】
発明は、広くは剃毛装置に関し、より詳しくは、剃毛装置用の交換可能な両刃に関する。
【背景技術】
【０００２】
（関連出願の相互参照）
本出願は、２０１４年３月５日に提出の米国仮特許出願第６１／９４８，２０３号の利益を主張するものであり、この参照により全文が開示に含まれるものとする。
【０００３】
一般的なかみそりは、一方の面にのみ１〜５枚の刃を有し、それらの切れ味が落ちてくると、廃棄処分される。一般的な消費者は、使い捨てかみそり、あるいは、交換用カートリッジ式かみそりを購入する。使い捨てかみそりは安価であり、交換用カートリッジ式かみそりは、それよりかなり高価である。問題は、消費者がカートリッジ付きのかみそりに高い代金を支払い、そして販売されている交換用カートリッジにさらに高い代金を支払わなければならないことにある。
【先行技術文献】
【特許文献】
【０００４】
【特許文献１】国際公開第２０１２／１７２３８１号明細書
【発明の概要】
【０００５】
消費者の多くはかみそりに高い代金を支払いたくはないが、選択肢がない。両刃かみそりを使えば、消費者が両側を使用できるかみそりカートリッジを所有することにより、消費者は両刃かみそりで長時間の剃毛が可能となる。そのかみそりは２倍長持ちするので、消費者は出費を抑えることができ、年間で多くの交換用カートリッジを購入する必要がない。両刃かみそりにおいては、消費者に与えられた市場はまだ発展の半ばである。本発明は、２倍の剃毛が可能で、質を保ち、消費者の出費も抑えることができるという、剃毛における別の選択肢を消費者に提供することができる。
【０００６】
両刃かみそりでは、両刃カートリッジに１〜５枚の刃が設けられ、刃のそれぞれの端部に鋭い剃毛刃を有する。このように、消費者は、そのかみそりの一方の面の切れ味が悪くなるまで使用し、そのあとそのかみそりカートリッジの他方の面を使用する。これにより、２倍の時間剃毛が可能となる。このかみそりは、剃毛用に使用されない、または、剃毛用に設計されていない剃刃の他端を無駄にせずに、剃刃の両端を使用するものである。そしてユーザは、柄係合連結部から両刃かみそりカートリッジを取り外し、かみそりカートリッジをひっくり返す、もしくは回転させて両刃カートリッジかみそりの他方の面に柄係合連結部を取り付ける。ユーザは、このかみそりカートリッジの第２の面の切れ味が悪くなるまで使うことができる。かみそりカートリッジの切れ味が悪くなったら、ユーザは、両刃カートリッジを外し、新しい両刃カートリッジをかみそりの柄に取り付ける。これにより、消費者は、その剃刃の両端を利用して２倍の剃毛ができるようになる。
【０００７】
ユーザは、すでに取り付けられた両刃カートリッジに付属のかみそりを購入すればよい。あるいは、ユーザは、交換用カートリッジを購入して現存の両刃かみそりカートリッジを交換すればよい。
【０００８】
かみそりを両刃カートリッジに対して連結及び取り外しするためには、ユーザは、柄を片手で保持し、両刃カートリッジの両端（刃がない端部及び辺）を他方の手で保持する。そして、ユーザは、柄上に位置する柄係合連結領域を、カートリッジ面連結区画上の取り付け区画またはスロットに連結され、内部に嵌合し、好ましくはカートリッジ区画領域にロックされるまで挿入すればよい。
【０００９】
１つの実施形態では、挿入時（連結時または取り外し時）、かみそり柄と柄係合連結部がカートリッジ取り付け区画面に垂直であれば連結しやすい。現在周知の、あるいは将来的に開発される柄係合連結部（かみそり柄）と両刃カートリッジの挿入（連結または取り外し）には多くの方法が考えられる。ここでは一部の実施形態を説明するが、別の実施形態も考えられることは明白である。
【００１０】
本開示により、消費者は、通常のかみそりおよびカートリッジの２倍の剃毛ができることで、コストを削減することができる。このように、消費者は、かみそりについて一年間で消費する費用を削減することができる。この概念は、非常に有効であり、市場で正に必要とされる概念である。先の両刃かみそりの概念とは異なり、ここで説明する本実施形態のかみそりは、新しい、改良された方法で、剃り味がよく、２倍剃毛できる両刃かみそりを消費者に提供するので、消費者はコストを削減することができる。本開示には、消費者が両側を使って剃ることができるかみそりカートリッジを容易に使用できるようにする数多くの優れた局面が含まれる。
【００１１】
両刃使い捨てかみそりとして設計された両刃かみそりは、本出願で述べるすべての交換可能な仕様と要素を有することができる。両刃使い捨てかみそりの形状、設計、寸法は問わない。また、現在周知の、あるいは将来的に開発されるあらゆる材料から形成することができる。両刃使い捨てかみそりと両面非使い捨てかみそりの限定されない違いは、使い捨て剃刃とカートリッジは、安価な材料で形成でき、限られた回数だけ使用されて廃棄されるように設計されている。
【図面の簡単な説明】
【００１２】
【図１】本開示の柄の１つの実施形態に連結された本開示のカートリッジの１つの実施形態を備えるかみそり装置の１つの実施形態の斜視図である。
【図２】カートリッジの１つの実施形態の分解図である。
【図３】カートリッジの１つの実施形態の部分組立図である。
【図４】カートリッジと係合する柄の実施形態の斜視後面図であり、係合／解放位置を示す。
【図５】カートリッジと係合する柄の実施形態の斜視後面図であり、カートリッジが係合／解放位置から離れる方向に旋回した使用位置を示す。
【図６】カートリッジを有さない柄の１つの実施形態の斜視前面図である。
【図７】図６の柄に連結したカートリッジの実施形態の１つの実施形態の斜視前面図である。
【図８】ロゴを含む柄の実施形態の１つの実施形態の斜視後面図である。
【図９】図８の柄に連結したカートリッジの１つの実施形態の斜視後面図である。
【図１０】柄係合の１つの実施形態を含む柄の１つの実施形態の斜視前面図である。
【図１１】図１０の柄の斜視後面図である。
【図１２】旋回連結の１つの実施形態の線図である。
【図１３】Ｔ連結の１つの実施形態の線図である。
【図１４】半体のＴまたはＬ連結の１つの実施形態の線図である。
【図１５】半体のＴまたはＬ連結の１つの実施形態の線図である。
【図１６】長手の、または長尺バー連結の１つの実施形態の線図である。
【図１７】長手の、または長尺バー連結の１つの実施形態の線図である。
【図１８】本開示の柄の１つの実施形態の前面図である。
【図１９】スプリングピン連結の１つの実施形態を示す図１８の柄の一部分解図である。
【図２０】本開示のカートリッジの１つの実施形態の斜視図である。
【図２１】本開示の柄の実施形態に連結した図２０のカートリッジの１つの実施形態の斜視図である。
【図２２】図２１の線２２−２２に沿って切った断面図である。
【図２３】カートリッジの１つの実施形態の斜視上面図である。
【図２４】カートリッジの１つの実施形態の前面図である。
【図２５】図２４の線２５−２５に沿って切った断面図である。
【図２６】カバー付きのカートリッジの１つの実施形態の後面図である。
【図２７】カバーされたカートリッジの１つの実施形態の斜視上面図である。
【図２８】柄に連結されたカートリッジの１つの実施形態の後面図である。
【図２９】カバーを対向面に取り付けたカートリッジの１つの実施形態の斜視上面図である。
【図３０】図２９のカートリッジの側面図である。
【図３１】本開示のカートリッジの１つの実施形態の分解図である。
【図３２】本開示のカートリッジの１つの実施形態の上縁図である。
【図３３】その左側面図である。
【図３４】その前面図である。
【図３５】その右側面図である。
【図３６】その底縁図である。
【図３７】その斜視上面図である。
【図３８】図３４の円で示した部分３８の拡大図である。
【図３９】図３４の線３９−３９に沿って切った断面図である。
【図４０】本開示に従った柄の１つの実施形態の上面図である。
【図４１】その側面図である。
【図４２】その分解底面図である。
【図４３】柄と複数のカートリッジを含むキットの１つの実施形態の線図である。
【発明を実施するための形態】
【００１３】
本発明の原理に従った図示の実施形態の説明は、文書での説明全体の一部と考えるべき添付の図面に関連付けて読むことを意図したものである。ここで開示した本発明の実施形態の説明において、方向または方位は、すべて説明の便宜上に示すものであり、本発明の範囲を限定することを目的としたものではない。「下側」、「上側」、「水平」、「垂直」、「上方」、「下方」、「上」、「下」、「頂点」、「底」、及びそれらから派生する表現（例えば「水平に」「下方に」「上方に」など）のような相対語は、該当する図面において説明する、または示している方位を指すものと解釈されるべきものである。これらの関連用語は説明の便宜上のものであり、特に明示しない限り、装置を特別な方位で構成する、または操作することを要求するものではない。「取り付けた」「固定した」「連結した」「結合した」「相互連結した」等の用語及びそれらに類似した表現は、特に指定がない限り、構造物が直接または介在構造物を介して間接的に互いに固定されている、または取り付けられている関係、ならびに移動可能なまたは堅固な取り付けまたは関係を表す。さらに、本発明の特徴と利益は、例示の実施形態を参照することによって説明する。よって、本発明は、ある、考えられる、非限定的な単一の、あるいは別の特徴の組み合わせの中の特徴を組み合わせて例示された実施形態に限定されるものではなく、本発明の範囲は添付の特許請求の範囲によって限定されるものである。
【００１４】
この開示は、本発明を実施するに当たり現在考えられる最良の形態について説明する。この説明は、限定をする意味で理解されることを意図したものではなく、添付の図面を参照することによって例示の目的のみで提示された本発明の例を提供し、本発明の利点と構造を当業者へ助言するものである。種々の図面において、同様の参照符号は、同様の、または類似した構成部品を表す。
【００１５】
図１に示すように、本開示のかみそりカートリッジ２の１つの実施形態は、図示のように、柄６から最も遠い上端部４を有する。上端部は、楕円のような形状でも、丸みを帯びていても、また、他の形状でもよい。丸みを帯びている場合、カートリッジ面８は、丸みを帯びたパッド、細片、または加湿パッド、あるいは望ましい他の付属品や特徴を有していてもよい。かみそりの下部（端部）１０または他の部分の形状は、現在周知の、あるいは将来的に開発されるあらゆる形状が可能である。カートリッジの端部または縁部１２の材料を、ゴムまたはその他の現在周知の、あるいは将来的に開発されるあらゆる材料とすれば、水中でも、水の外でもユーザがカートリッジ端部１２を握りやすくなる。縁部は、起伏があっても、畝があっても、凹んでいても、突出していても、あるいはそれらの組み合わせでもよい。また、これにより、図１に示すように、ユーザがカートリッジ２を握って、柄６に対して取り付けたり、取り外したり、カートリッジ２を、カートリッジの長手の中心軸に沿って延びる軸に沿って切り替えて（ひっくり返して）、かみそりの他の面を使用できるようにする。両刃かみそりを取り扱うときには、ユーザは、カートリッジの端部または縁部１２を保持し、刃１４自体またはカートリッジ面８を保持しないほうが好ましい。ユーザは、刃１４やカートリッジ面８を保持することで手を切る可能性がある。カートリッジ端部１２は、指用の溝１６を有していてもよく、溝１６には、凹領域及び／または凸領域が形成されてユーザの指が心地よくフィットし、容易にかつしっかりとカートリッジ２を保持できるようにしてもよい。また、カートリッジ面８は、カートリッジ取り付け区画２０を備え、そこに柄係合連結部２２が嵌合するのが好ましい。柄係合連結部２２は、フランジ２４（アームまたはウィング領域）をはみ出るように延在する。カートリッジの上部、底部、または側部の形状に合うような丸みを帯びたパッド、細片、または加湿パッドがあってもよい。
【００１６】
カートリッジ２を形成する材料は問わない。例えば、プラスチック、ゴム、金属など、及びそれらの組み合わせでもよい。あらゆるタイプの材料、例えば、ゴムを設ける位置は、カートリッジ２のどの部分でもよい。カートリッジ２を構成する要素の数は問わない。カートリッジ２は、ねじ、スナップフィット、熱溶接、超音波溶接、ロック、あるいは他の現在周知のまたは将来的に開発される方法で組立てることができる。カートリッジ２の寸法と形状は、問わない。１つの実施形態では、直線縁部のかみそり、あるいはカートリッジタイプのかみそりのような設計および形状でもよい。カートリッジ２は、永久的にまたは非永久的に固定される刃１４の数を問わない。１枚、２枚、３枚、５枚などでよい。刃１４は、剃毛面に対する角度パーセントを問わないが、剃毛面に対して６０°を向く刃を有しているのが好ましい。ただし、他の角度でもよい。
【００１７】
１つの実施形態では、カートリッジ半体または要素は、スナップで永久的に互いに固定してもよく、取り外し可能としてもよい。現在周知の、あるいは将来的に開発されるあらゆる方法で取り付けることができる。カートリッジ要素は、永久的な取り付けであるのが好ましい。２つのカートリッジ半体を互いに取り付けたら、カートリッジ２を熱シールまたは超音波溶接して永久的に互いに取り付け、離れないようにすることによって、より安全が確保される。超音波溶接または熱シールにより、スナップフィットや他の連結方法が各カートリッジ要素とかみそりを一体の完成品とするため、離れることはなく、非常に安全である。カートリッジ要素は、両端をともに保持する金属またはスチール製のバンドで保持することができる。他の固定手段も可能である。バンドは、２つのカートリッジ要素を互いにしっかりと保持することができる。現在周知の、あるいは将来的に開発されるカートリッジ要素をしっかりと接着または取り付ける方法は数多く存在する。
【００１８】
カートリッジ面８または剃毛面側面は、２つの異なる要素で設計しても一体品として設計してもよい。一体品設計の１つの実施形態では、上側、例えばパッドや加湿パッドが位置する側は同じ外観でもよい。１つの実施形態における他側（内面または内側領域）は、刃１４が取り付けられている箇所と同じ外観に設計すればよい。
【００１９】
図２及び３の実施形態で示すように、刃１４が挿入される刃溝１８が直角に設けられ、それにより、剃毛面に対して正しい刃角となる。角度は、剃毛面（第１の面）に関してカートリッジ２の一方の面に適した角度になる。刃１４を嵌める刃溝１８の他端は、カートリッジ２の他の剃毛面（第２の面）に適している。図４及び５に示すように、各剃刃１４の中央を突き抜けるブレードセンターピース２６を備え、かみそりをカートリッジ２の内部の正しい位置に安定して保持する。図４は、ブレードカートリッジが適した角度となって、柄を受容し係合することができるブレードカートリッジの面への柄の取り付けを示す図であり、一方、図５は、カートリッジが柄に対して揺動して剃毛するための使用位置にある状態を示している。カートリッジを柄から取り外したいときには、カートリッジを図５に示す位置から図４に示す位置まで揺動させると、カートリッジは、柄から取り外すことができる。
【００２０】
ブレードセンターピース２６が刃１４を通り抜けたらそのブレードセンターピース２６を、しっかりと永久的にカートリッジ面に取り付けるという連結も考えられる。この連結は、熱もしくは超音波溶接、あるいは、現在周知の、または将来的に開発されるあらゆる方法で取り付け、連結できる。このブレードセンターピース２６により、剃刃１４が、特に剃刃１４の中央部が頑健になる。刃幅があるため、刃１４の中央部は、安定が必要であり、剃毛中にブレードセンターピース２６が刃１４をまっすぐに強く保持することができる。このブレードセンターピース２６を形成する材料は問わない。プラスチックでもよい。剃刃１４は、このブレードセンターピース２６にしっかりと嵌合するような設計および形状である。
【００２１】
ブレードセンターピース２６は、図２に示すように剃刃１４の中央の下部に載置してもよく、また、剃刃１４の中央以外の個所を通るように構成してもよい。ブレードセンターピース２６が刃１４の中央を通り抜ければ、ブレードセンターピース２６は、カートリッジ２の一方の側に永久的に、または非永久的に取り付けることができる。カートリッジの他方の側は、刃１４、ブレードセンターピース２６、及びカートリッジ２の他の内側部分の上に戴置することができる。これらは、スナップフィットまたは現在周知のもしくは将来的に開発されるあらゆる連結によって共に挟持することができる。刃溝１８の中に入る刃１４は上端すなわち自由端の一方が露出しており、上側カートリッジ２が刃１４、ブレードセンターピース２６上に嵌ると、刃１４の上側が他方のカートリッジ２側の内部上の刃溝１８内に嵌る。
【００２２】
他方のカートリッジ２側（内側）は、内側部分が完璧に嵌り、連結部分において一体品を形成するように設計すればよい。スナップフィット機構、または、現在周知のもしくは将来的に開発されるあらゆるタイプの連結が可能である。一側は、連結プロング（雄部）を有し、他側はプロングが入り込んで出られなくなるプロング区画領域（雌部）を有していてもよい。よって、それぞれの内部かみそりカートリッジは、一側にプロングを有し、他側に連結区画を有していてもよい。
【００２３】
１つの実施形態では、各カートリッジの要素または半体は同一でよく、また、２つのカートリッジ要素または半体が互いに連結する際には、ユーザはカートリッジ２を回転させて対向する端部を互いに取り付け、連結しなければならない。両刃かみそりは、カートリッジを回転させる必要がないように設計されていてもよい。カートリッジを取り付ける際には、両カートリッジ取り付け区分領域とプッシュピン係合領域（取り付け面）は互いに逆になる。内部は、刃溝１８と、刃の載置が同じに見えるように構成されるのが好ましい。１つの相違点は、プロングとプロング区画連結領域で、カートリッジ内部の各長手の端部に１つずつ設けられる。
【００２４】
１つの実施形態では、カートリッジは、同じ効果を得るのに２つの異なる設計の要素からなるものでもよく、また、要素の数はいくつでもよい。カートリッジは、内側と外側で異なる設計としてもよいが、互いに連結したままにしておく。カートリッジは、現在周知の、あるいは将来的に開発されるあらゆる方法によって互いに連結したままとすることができる。
【００２５】
図６及び７の実施形態でわかるように、柄６は、柄６をカートリッジ面８のいずれの面または他のいずれかの箇所に取り付けることができるアタッチメントをそれぞれの端部に有している。このことが、すなわち、柄６がカートリッジ面に取り付けられ、係合するという点がこの両刃かみそりの柄６が優れているところである。フランジ２４（アームまたはウィング領域）が柄６の端部に設けられ、カートリッジ取り付け区画２０（旋回区画）の両端の内部に嵌合する２つの柄係合連結領域２２が設けられている。
【００２６】
フランジ２４（アームまたはウィング領域）の形状、寸法、設計は問わない。柄６に設けられた２つの柄係合連結部２２の形状と寸法は問わない。カートリッジ２に連結する柄係合連結部２２の数は１つでも、他のいかなる数でもよい。柄係合連結部２２は、円形または楕円形など、現在周知の、あるいは将来的に開発されるあらゆる形状、寸法、設計が可能である。柄６と柄係合連結部２２の領域の寸法と形状は問わない。現在周知の、あるいは将来的に開発される材料から形成すればよい。
【００２７】
柄６および／またはフランジ２４（アームまたはウィング領域）は、プラスチックに射出したゴムまたはプラスチック製グリップタイプの材料からなるグリップインサートを有していてもよい。あるいは、材料、プラスチックまたはゴムのグリップを柄６の前面または後面、あるいは、カートリッジ２またはカートリッジ端部１２のいずれかの場所に取り付けてもよい。柄６は、例えば、プラスチック、ゴム、プラスチックゴム、鋼、ステンレス鋼、あるいは、現在周知のまたは将来的に開発されるあらゆるタイプの材料から形成できる。柄６は、クロムめっきでも、クロムを含むものでもよい。その他の材料も可能である。
【００２８】
柄６から延在するフランジ２４（アームまたはウィング領域）は、剃毛中に、そして柄６に関して、適した角度と位置になるような角度とされている。ユーザが柄６を保持して剃るとき、剃毛が容易で心地よくでき、剃毛する起伏箇所や面すべてに対応できる。フランジ２４（アームまたはウィング領域）の角度は問わない。フランジ（アームまたはウィング領域）２４の数は１つでも、いかなる数でもよい。カートリッジを連結する柄係合連結端部の形状は問わない。長方形、楕円形、円形、矢印形状、成形、四角、それらのあらゆる組み合わせが可能であり、あるいは現在周知の、または将来的に開発されるあらゆる設計または形状が可能である。その他の形状も可能である。
【００２９】
図８及び９に示すように、柄６は、ロゴやブランドマーク２８を含んでいてもよい。ロゴやブランドマーク２８は、例えば、ゴムのインサートから形成してもよい。ゴムのインサートは、ユーザが、水中で濡れているときに表面を持ちやすくするものであれば問わない。ゴムやプラスチックなど、あらゆる材料から形成してもよい。その他の材料、ブランディングのタイプ、ロゴの配置なども可能である。
【００３０】
図１０及び１１の実施形態でわかるように、柄係合連結部２２は円形（円筒形）連結部３０の形態であり、この円形（円筒形）連結部３０領域がカートリッジ面８またはカートリッジ取り付け区画２０内に取り付けられる。カートリッジ面８は、独自の取り付け領域を有しており、柄係合連結部２２と合う。カートリッジ面８の連結領域は、一般的に柄係合連結部２２の形状に合う、またはパズルのように嵌合する（１つの要素が別の要素の外形に嵌る）。柄係合連結部２２は、堅くても、可撓性を有していてもよく、現在周知の、あるいは将来的に開発されるあらゆる材料から形成されていてもよい。
【００３１】
カートリッジ２と柄６の連結領域は、剃毛面と面一でも、凹んでいてもよく、あるいは、刃１４やパッドと同じ高さでもよい。連結面は、その内部に、柄６が旋回できるような領域を有していてもよい。まず１つの柄係合連結部２２を入れ、次に別の柄係合連結部２２をカートリッジ連結領域内部（図４参照）に連結することによって、カートリッジ２を柄取り付け連結部に取り付けることができる。あるいは、柄係合連結部２２または連結部を同時に挿入してもよい。カートリッジ２を柄係合連結部２２から取り外すことは、１度に１つずつでもよいし、同時でもよい。カートリッジは、初めは、図４に示すようにカートリッジと柄の係合取り外しの間、柄に対して角度をつけるのが好ましい。
【００３２】
旋回角（取り付け領域の角度）は問わない。剃毛中、柄６は、ユーザが誘導する。ユーザが、顔、脇、または脚のような皮膚の箇所によって異なる角度で滑らすので、カートリッジ２は、柄係合連結部２２の周りを様々な角度で旋回する。カートリッジ取り付け区画２０領域の内側と柄係合連結部２２の外側面は、使用中、前後に移動するとともに旋回する。
【００３３】
カートリッジによっては、ウィング旋回領域がカートリッジに取り付けられていて、柄がそのウィング旋回領域に取り付けられているものもある。本開示の両刃かみそりカートリッジは組み込み式のフランジ（アームまたはウィング領域）２４を有していれば、この領域は、現在周知の、あるいは将来的に開発されるあらゆる寸法、角度、形状、または設計が可能である。柄係合連結部２２領域の形状、寸法、設計は問わない。同じ目的を果たすことができる現在周知の、あるいは将来的に開発される連結ができればよい。
【００３４】
柄係合連結部２２は、丸みを帯びていてもよく、好ましくはある部分のみ丸みを帯びているものがよい。この丸みを帯びた部分の比率は、カートリッジ２が旋回する角度を決定することができる。また、この比率は、柄係合連結部２２、または連結部、領域は、カートリッジ取り付け区画領域２０の内部で旋回する角度を決定する。これは旋回が機能できる１つの方法であるが、現在周知の、あるいは将来的に開発されるあらゆる方法でも機能できる。この柄取り付けタイプは、カートリッジ面８の両側を連結するだけでなく、柄係合連結部の一部の周りをカートリッジ区画連結領域があらゆる角度でも旋回できるようにする単数または複数の特殊な連結部を有している。この比率により、カートリッジ区画連結領域の一部が柄係合連結部の周りをあらゆる角度でも旋回できるようになる。柄とカートリッジの間の係合連結は、カートリッジが柄に対して不適切な位置にこないように設計構成されており、また、柄のカートリッジに対する過度な回動を防ぐように設計構成されてもいる。これは、本開示の柄の非常に優れた点である。
【００３５】
図１２の実施形態で示すように、柄係合連結部２２領域は、両刃カートリッジ２にすでに取り付けられている旋回連結部に取り付けられるように設計することもできる。柄係合連結部２２は、両刃カートリッジ２の旋回区分領域３２の内部に取り付けることも可能である。カートリッジ２と旋回区分領域３２は両側に設けることができる。両刃カートリッジ面８の各旋回区分領域３２の内部に入り、別体として、または一体に取り付ける（互いに連結する）旋回バー要素３２ａを設けてもよい。この部分を、カートリッジ領域の内部で旋回する。そして、柄係合連結部２２を旋回バー要素３２ａに取り付ける。図１２は、柄を両刃かみそりカートリッジに取り付ける１つの実施形態を示す。ここで説明する他のすべての仕様は、このタイプの取り付けに含まれ、使用できる。
【００３６】
図１３の実施形態で示すように、カートリッジ面上の取り付け区分領域は、Ｔ字型連結部３４を有していてもよい。Ｔ字型連結部３４は、長尺の狭い水平の開口３４ａと、長尺の水平開口３４ａの下まで下方に延びているそれより小さい垂直開口３４ｂを有する。２つの連結領域があり、１つは柄６上で、もう１つはカートリッジ面である。Ｔ字型の柄係合連結部は、カートリッジ垂直開口３４ｂを通って嵌合し、ユーザが剃毛を行うと同時に上下に移動する。柄６には、１つから複数のＴ字型連結部３４と幾つかの柄係合連結部が設けられていてもよい。また、１つから複数のカートリッジ取り付け区画をカートリッジ面の両端に設けてもよい。Ｔ字型連結領域３４は、Ｔ字型以外の形状も含み、同じ概念を達成するよう現在設計されている、あるいは将来的に知られるあらゆる寸法または形状が可能である。
【００３７】
水平開口３４ａは、取り付け区分である。水平開口３４ａは、柄係合連結部を取り付け取り外しするための連結取り外し領域でもある。垂直開口３４ｂは、水平開口３４ａの中央から下方に、刃１４から離れる方向に延びる。垂直開口３４ｂは通常、水平開口３４ａより短いが、垂直開口３４ｂの寸法と長さは問わない。この垂直開口３４ｂは、柄係合連結部が取り付けられるフランジ２４（アームまたはウィング領域）の一部である。フランジ２４（アームまたはウィング領域）は、ユーザが剃毛している時、垂直開口３４ｂの内部で前後に動く。ユーザが剃毛し、カートリッジ面が剃毛面に沿って進むと、カートリッジは前後に旋回する。カートリッジが前後に旋回している間、フランジ２４（アームまたはウィング領域）は、垂直開口３４ｂの内部で前後に動く。
【００３８】
図１４及び１５の実施形態でわかるように、半分の（1/2）Ｔ字型またはＬ字型連結部３６を設けることができ、連結領域の上側水平の部分３６ａは、下側脚部３６ｂが連結された1/2ＴまたはＬに類似している。Ｔの上側水平部３６ａは1/2ＴまたはＬの形状なので、Ｔ字の水平部３６ａの一区画しかない。この上側水平部３６ａはカートリッジ領域の外側に向かい、Ｔの内側部分は除去されている。カートリッジと柄の連結領域は、1/2ＴまたはＬ連結部３６に合うような形状となっている。1/2ＴまたはＬ型連結部の内側には、スナップ連結部または他の可能な連結部を設けてもよい。連結領域の内側には、ここで説明するように突起領域を設けて柄係合連結部を定位置に保持するようにしてもよい。突起の数は１つでもいくつでもよく（図２２）、区画領域の周りのどの箇所でもよい。柄係合連結部２２が1/2Ｔ字型連結部３６を有している場合は、カートリッジ取り付け区画２０も1/2Ｔ字型のような外観となり、柄係合連結部２２が内部に完璧に嵌合する。
【００３９】
図１６の実施形態でわかるように、別のタイプの1/2Ｔ連結部３８は、Ｔ字の上側水平部３８ａが、単に1/2Ｔの形状であり、Ｔの水平部３８ａの一区画しかない。この上側水平部は、カートリッジ面の中央プッシュピン係合５６領域に向かって延びている。これは、図１４及び１５に示した上記の1/2Ｔ３６の実施形態とは逆の1/2Ｔ連結部３８である。カートリッジ取り付け区画領域の外側及び外側柄係合連結部は、この実施形態では除去されている。カートリッジ取り付け区画領域とカートリッジ上の開口は、柄６の1/2Ｔ連結部３８に適合する形状であり、完璧に連結できるようになっている。
【００４０】
図１７の実施形態でわかるように、柄係合連結部領域の端部に設ける別のタイプの連結部は、カートリッジ取り付け区画領域に嵌合する一本の長尺バー４０でもよく、カートリッジ面８に沿って延びており、これも一本の長尺バー４０の形状となっている。カートリッジ取り付け区画２０領域の中央には凹んだ部分があり、そこに長尺バー係合領域４０ａが入る。柄６上のプッシュピン４２は、長尺バー４０領域の中央に組み込んで、カートリッジ長尺バー係合領域４０ａと係合させてもよい。長尺バー４０の連結部は、柄６前部に沿って延び、２つのフランジ（アームまたはウィング領域）２４に連結される１本の長尺バーを有していてもよい。中央部は幅が十分広いので、長尺バーの柄係合連結部２２を保持するフランジ（アームまたはウィング領域）２４は、カートリッジ２と柄６が異なる面や起伏面で剃毛する際に十分上下に移動できる。ここまで説明してきたカートリッジ２やその他すべての仕様は、ここに示す、またはその他のタイプの両刃カートリッジ２、柄係合連結部２２、及び柄６に適用できる。
【００４１】
別の実施形態では、左側にＦ字型連結部（図示せず）、右側に逆Ｆ字型連結部に類似した、別のタイプの連結領域を設けている。あるいは、両Ｆ字型形状の領域は同等で、直接真向かいにある形態で、カートリッジ取り付け区画２０領域に設けてもよい。柄係合連結部は、カートリッジ取り付け区画と適合する形状とする。柄係合連結部は、カートリッジ面の両側にカートリッジ取り付け区画領域に嵌合する連結部を有しており、Ｆ字型連結はカートリッジ内部で旋回する。Ｆ字型連結において、柄係合連結部は、２つの連結部を、カートリッジ取り付け区画領域に連結するアームまたは脚部の各側に有していてもよい。ここまで説明してきた柄またはカートリッジやその他すべての仕様は、ここに示すタイプ、またはその他のタイプの柄と両刃カートリッジ連結部に適用できる。
【００４２】
別の実施形態では、別のタイプの連結部では、柄６を両刃カートリッジ２に取り付ける前記した方法のいずれを使っていてもよい。
【００４３】
図１８の実施形態でわかるように、連結部は、プッシュピン領域に近い柄６の端部に設計したプッシュピン４２を有している。１つの実施形態では、プッシュピン４２は、カートリッジ面８に対し柄係合連結部を連結、取り外しやすくする。柄係合連結部２２は、カートリッジ面に連結し、定位置にロックする特別な連結部を有している。ユーザが柄６上のボタンを押すと、柄６と柄係合連結部２２はカートリッジ２から外れる。このボタンは、現在周知の、あるいは将来的に設計されるあらゆる方法で設計できる。ボタンの形状または寸法は問わない。別の実施形態では、プッシュピンは、単に柄に対するカートリッジの滑動を容易にし、柄に対するカートリッジの角度付けをしやすくし、また、柄に対してカートリッジを連結、取り外しする役目は果たさない。
【００４４】
柄係合連結部２２は、カートリッジ面８に沿った位置であれば問わない。柄係合連結部２２は、カートリッジ取り付け区画２０面、縁、またはかみそりカートリッジ２のあらゆる場所の定位置に嵌合し、ロックするように設計することができる。ここまで説明してきた柄６またはカートリッジ２やその他すべての仕様は、ここに示すタイプ、またはその他のタイプの柄６及び両刃カートリッジ２連結部に適用できる。
【００４５】
柄６は、柄６から延在し、本出願で説明してきたプッシュピン４２と同じタイプのものを有するフランジ（アームまたはウィング）２４を有していてもよい。図２０及び２１の実施形態でも示すように、柄係合連結部２２は両刃カートリッジ端部１２の外側でカチッと嵌めることができる。これは、カートリッジ２の長尺な端部である。柄係合連結部２２は、カートリッジの中央または両刃かみそりカートリッジの端部上のあらゆる箇所に連結することができる。柄係合連結部２２は、現在周知の、あるいは将来的に開発されるあらゆる方法でスナップ、定位置にロック、または連結できる。柄係合連結部が定位置にカチッと嵌りロックされると連結が完了し、両刃かみそりの第１の側の使用準備が整う（図２１）。プッシュピン４２とプッシュピン係合５６領域により、本出願ですでに説明したような、一定の剃毛角が可能となる。
【００４６】
ユーザが、カートリッジ２の第１面の使用を終え、第１面の刃の切れ味が悪くなってくると、ユーザは、柄６とカートリッジ２を他の面に移動させる。他の面とは、両刃カートリッジの第２面である。これは、柄係合連結部２２と、柄係合連結部２２を取り付けるカートリッジ取り付け区画２０とによって達成できる。柄６とカートリッジ２は、柄６が位置決めされる他の面に向かって一方向に移動し、両刃カートリッジ２の第２面が使用できるようになる。これは、柄とカートリッジが定位置にロックされる位置である。
【００４７】
かみそりが剃れなくなったら、ユーザは、単に柄係合連結部２２をカートリッジ取り付け区画２０から取り外せばよい。ユーザは、新しい両刃カートリッジを柄係合連結部２２に取り付けて、再度剃ることができる。カートリッジ２の外側の連結領域の連結タイプは問わない。現在または将来開発されるあらゆる形状または寸法が可能である。このカートリッジ２に対する柄係合連結部２２は、Ｕ字型（図２２）でもよく、あるいは、現在周知の、または将来的に開発されるあらゆる形状が可能である。柄係合連結部２２は、スナップ嵌合連結でも、現在周知の、あるいは将来的に開発されるあらゆる連結が可能である。端部の連結及び柄係合連結部２２は、設計されたルート機構を有していてもよい。この設計されたルート機構は、一方向、前後、第１位置（面）から第２位置（面）２に回転する柄６とカートリッジ２を含む。設計されたルート機構はまた、柄６とカートリッジ２をロックすること、柄６とカートリッジ２のロックを解除すること、そして、他の面に容易に切り替えることも含む。本出願ですでに説明したようにプッシュピンを使用する。プッシュピンは、このタイプの旋回をする両刃かみそりで協働するようにわずかに変更すればよい。
【００４８】
図１９の実施形態でわかるように、スプリング搭載のプッシュピン４６を柄６の端部に位置させ、すでにカートリッジが取り付けられている旋回取り付け領域をプッシュピンが通り抜ける構成の最も一般的なカートリッジかみそりを除く、一般的なカートリッジかみそりのように作用させる。一般的にこの旋回取り付け領域は、ユーザが剃っている間カートリッジを前後に旋回させる。
【００４９】
本発明の１つの実施形態は、カートリッジ２にすでに取り付けられた旋回取り付け領域ではなく、両刃カートリッジ面８（両側）に直接取り付けられる、取り外し可能な柄係合連結部２２領域を有している。本開示のプッシュピンは、柄の端部に取り付けられており、かみそりにすでに連結された旋回取り付け区画を通過することはない。プッシュピン４２は、柄端部の区画４８（図１９）に位置しており、２つの柄係合連結領域の間に位置する。
【００５０】
区画４８において、スプリング５０を動かないようにしっかりと載置する領域がある。そして、プッシュピン４２をかみそりカートリッジ２の端部に対向するスプリングの端部に取り付ける。そして、カバー５２を区画４８に載置してスプリング５０とプッシュピン４２部をカバーする。区画４８は、プッシュピン４２がかみそりカートリッジ２領域に対向する区画４８から飛び出すように設計されており、プッシュピン４２は、区画４８の内部で外に飛び出すことなく前後に押し戻しされる。プッシュピン４２は、プッシュピン４２が区画４８領域から外に出ないように防ぐ停止端５０ａを有する。
【００５１】
プッシュピン４２は、区画４８領域を超えてその完全に延在した点まで飛び出すと、そのプッシュピン４２は、図２０に示すように、カートリッジ面８上のプッシュピン係合領域５６に触れるように設計される。カートリッジ面８の各側に１つずつプッシュピン係合５６領域がある。そのプッシュピン係合領域５６は、カートリッジ２の外側の互いに対向する各端部に位置させる。プッシュピン４２は、通常、カートリッジ面８のカートリッジ区画取り付け区画２０領域の間の中間に位置する。プッシュピン係合領域は、プッシュピン４２が接触する表面積を有し、表面のタイプまたは形状は問わず、例えば凹型でも凸型でもよい。取り付け区画２０領域の表面または側面及び／またはカートリッジ面８、カートリッジ２、または剃毛面の面より下方にわずかに丸みを帯びた凸型面を示す。
【００５２】
スプリング搭載のプッシュピン４６は、カートリッジ２を剃毛角の第１の位置まで押すように設計する。ユーザが剃毛面の様々な曲面上を剃って進む際、プッシュピンは、カートリッジ２に圧力を掛けて希望の剃毛面上にとどまるように働く。ユーザが剃毛面に圧力を掛けると、カートリッジ２は、ユーザがその面に圧力を掛け、剃っている面に追従している限りは、常に正しい剃毛位置に維持される。かみそりカートリッジ２は、多くの表面及び起伏タイプおよび形状を進み、スプリング搭載のプッシュピン４６を介して表面と均一に接触し続ける。
【００５３】
最大の剃毛角位置が１０だとすると、カートリッジは位置１から１０までの間で多数の異なる角度を移動する。全体の時間の間、スプリング搭載のプッシュピン４６により、両刃かみそりカートリッジが剃毛面に接触していないとき、または使用していないとき、カートリッジは、常に第１の、または休み位置１に戻る。
【００５４】
スプリング搭載のプッシュピン４６の機能が１つの実施形態において定位置とならない場合には、かみそりカートリッジ２は剃っている間に特別な剃毛角にとどまることはない。スプリング搭載のプッシュピン４６がない場合は、ユーザが剃毛面を剃って圧力を掛けたときに、ユーザは、剃っている角度または曲面に対し、滑らかに、均一に剃ることができない。かみそりカートリッジ２は、圧力を掛けている間剃毛面に対して均一な接触状態を保つこともできない。スプリング搭載のプッシュピン４６により、かみそりカートリッジ２は、剃毛領域において正しい、均一な位置を維持することができる。かみそりが剃毛面を離れると、スプリング搭載のプッシュピン４６は、カートリッジを初期位置または剃毛角に押し戻す。
【００５５】
図２０にも示すように、カートリッジ面の取り付け区画２０領域は、柄係合連結部領域がカートリッジ面の取り付け区画に連結する領域である。この取り付け区画領域は、通常、柄係合連結部の形状に適合する。しかし、取り付け区画領域面の寸法、角度、形状、または設計は問わない。カートリッジ取り付け区画領域の内側の寸法、角度、形状、または設計も問わない。
【００５６】
取り付け区画領域は、垂直開口２０ａを有し、垂直開口２０ａは、取り付け区画２０の水平開口２０ｂに対して垂直であり、刃１４から下方へ（離れる方向に）延びる。取り付け区画領域の垂直開口２０ａの内部には２つの側面があり、垂直開口２０ａの左右に位置している。この領域によっても、柄係合連結部２２が取り付け区画２０内で前後に旋回する時に取り付け区画２０の柄係合連結部２２を保持しやすくなる。
【００５７】
取り付け区画２０領域の内部には、取り付け区画２０領域の開口上に保持部または突起５８を有していてもよく、その保持部または突起５８は、１つからいかなる数でもよく、内部領域のいかなる場所、内部領域の側面のいかなる場所、または内部壁上のいかなる場所に設けてもよい。保持部または突起５８は、後壁に１つと、前壁の各側に１つずつ設けてもよい。あるいは、突起５８は、前壁の一側に１つ、後壁に１つ設けてもよい。突起５８の数の組み合わせは問わず、また寸法、角度、形状、設計も問わない。突起５８は、現在周知の、あるいは将来的に開発される設計を有して、同じ目的を達成する。突起５８は、保持部、ホルダ、スナップフィット領域、係合領域、あるいは通路として作用して、柄係合連結部２２が取り付け区画２０領域の内部に嵌合してとどまり、意図せず飛び出すことはない。突起について示し、説明したが、突起以外のあらゆるタイプの保持部が使用できることは理解できよう。
【００５８】
取り付け区画２０領域の開口上の突起５８により、取り付け区画２０領域を柄係合連結部２２より小さくしてもよく、柄係合連結部２２が突起５８を越えて進むと、２つの要素（２つの領域）の間で少し抵抗が強くなる。そして、ユーザが少し力を加えると、柄係合連結部２２が取り付け区画２０内に入り込み、柄係合連結部２２が取り付け区画２０の内部に連結される。
【００５９】
図２１及び２２は、柄係合連結部２２が、容易に飛び出すことなく、取り付け区画２０の内部で自由に旋回できることを示している。突起５８の設計、取り付け区画領域の連結のタイプ、またはそれに類似した連結は、現在周知の、あるいは将来的に開発されるあらゆる設計で、同じ概念を達成できる。
【００６０】
Ｔ字型連結（例えば図１３参照）においては、Ｔ字型の水平部分の両側が、取り付け区画領域の垂直開口３４ｂの側面の内側に嵌合する。通常、ユーザが剃って、かみそりカートリッジ２が剃毛面の曲面に沿って進むと、前後の旋回動作が起こり、カートリッジ２が剃毛面角を調整できるようになる。そうなると、柄係合連結部２２が取り付け区画２０の内部で前後に旋回し、さらに／または取り付け区画２０領域は、柄係合連結部２２の周りもしくはその上で前後に旋回する。取り付け区画２０の垂直領域２０ａをかみそりの面または長い辺上に位置させ、かみそりのエッジの形状に沿わせてもよい。垂直領域２０ａの角度、設計、形状は問わず、それを設ける位置も問わない。水平区画２０ｂを設ける位置は問わず、寸法、角度、形状、または設計も問わない。
【００６１】
図２２からもわかるように、本発明は、市場に出回ったほとんどのかみそりカートリッジのように、カートリッジ２にすでに取り付けられた旋回取り付け区画領域３２ではなく、カートリッジ面８に直接取り付けられる、取り外し可能な柄係合連結部２２領域を有している。
【００６２】
ユーザが柄６をカートリッジ面８の取り付け区画２０領域から取り外したいときには、ユーザは柄６を片手で保持し、両刃カートリッジ端部１２（刃１４がない側面）を他方の手で保持する。そして、ユーザは、カートリッジを取り外し位置まで揺動させ、柄６の柄係合連結部２２領域を、弱い力でカートリッジ面８上のカートリッジ取り付け区画２０から引き出す。取り外しやすくするためには、柄６と柄係合連結部２２は、カートリッジ面８の取り付け区画２０（図４参照）に垂直にすればよい。しかし、柄係合連結部２２と柄６をかみそりカートリッジ２に対して連結、取り外しする際、柄係合連結部２２と柄６はカートリッジ面８に対して垂直でなくてもよい。柄係合連結部２２の角度は問わないが、柄係合連結部２２が図４に示すようにカートリッジ面８に対して垂直である場合、取付け取り外しを容易にするのが好ましい。柄係合連結部２２領域は、ユーザの好みによって１つの区画を一度に、または同時に、カートリッジ面８のカートリッジ取り付け区画２０に連結してもよい。
【００６３】
カートリッジ２の刃１４の数はいくつでもよい。いずれの面にも１枚ずつ、２枚ずつ、３枚ずつ、４枚ずつ、５枚ずつ、などの、刃１４の組を有していてもよい。図２３〜２５に示すように、刃１４を両刃カートリッジ２の他の面まで全体に延在させてもよい。あるいは、刃１４を両刃カートリッジ２の他の面まで全体に延在させる必要はない。刃１４は平坦でもよく、また、刃１４は平坦でなくてもよい。刃１４の形状は問わない。刃１４の数は１から５枚など、何枚でもよく、例えば、それぞれの側に刃先がついていてもよい。刃１４は、各端部に同じ側の刃先を有していても、両側に反対の刃先を有していてもよい。一側の上端部が切断端でもよく、刃１４の反対の端部はその上端部に切断端を有していてもよい。あるいは、反対の切断端部を有していても、あるいは同じでもよい。刃１４は、両端が鋭く、どの縁部またはどの角度で切ってもよい。刃１４は、両端が先細になっており、刃１４の端部が先に行くほど細くなり、先細の端部に向かって鋭くなっていてもよい。刃１４は鋭くてもよく、その設計は、剃刃１４の刃先が現在周知の、あるいは将来的に開発されるものでよい。刃１４は、現在周知の、あるいは将来的に開発されるいかなる鋼で形成されていてもよい。刃１４は、切断または剃ることができるあらゆるタイプの材料で形成することができる。刃１４は、カートリッジ２に安全にしっかりと固定できるような断面または形状を有していればよい。
【００６４】
刃１４は、刃１４を定位置に保持するための安定化部を有していてもよい。刃を安定化させるブレードセンターピース２６（図２３）の数はいくつでもよく、現在周知の、あるいは将来的に開発されるあらゆる形状または寸法または設計が可能である。ブレードセンターピース２６は、刃１４を真っ直ぐ、均等にとどめて、真っ直ぐ、均等に剃ることができるようになる。それらは、刃１４をカートリッジ２内、あるいはカートリッジ２内のいずれかの位置にしっかりと保持する安全手段でもある。ブレードセンターピース２６は、角度をつけてもよく、垂直または水平のいずれの方向に延びていてもよく、あるいは両刃かみそり刃１４内における角度は問わない。刃１４がプラスチックの場合には穴を設けてもよく、あるいは、いずれかの固定要素または材料を設けて刃１４を両刃カートリッジ２のいずれかの部分の定位置に保持してもよい。刃の厚み、寸法は問わない。刃１４の形状は問わず、外形も問わない。刃１４は現在周知の、あるいは将来的に開発される材料のいずれかによってコーティングされ、刃の切れ味が悪くなるのを防ぐように構成してもよい。刃１４は、両刃かみそりカートリッジ２に、カートリッジ２またはかみそり内のいずれの位置に固定してもよい。
【００６５】
剃刃１４を設ける相互の距離は問わない。また、層状にしても、あるいは、互いに角度をつけて互い違いに配置してもよい。刃１４は、カートリッジ面８の一方の面において同じ角度としてもよく、カートリッジ２がひっくり返された場合（他方の面に回転させられると、すなわち、カートリッジの長手軸の中心を通って形成される軸に対して第１面が第２面の鏡像になる）も、角度は同じとなる。例えば、刃１４の端部が剃毛面から約６０度であるとき、図２４及び２５からわかるように、刃１４はかみそりカートリッジ２の他方の面まで延びる。カートリッジ２の剃る側では、剃刃１４の角度は、柄６の端部に向かって下方に向いている。他方のカートリッジ２の剃る側が使用されていない時には、刃１４は、柄６の端部から離れる方向に上方に向いている。
【００６６】
ユーザが両刃かみそりカートリッジ２を取り外す際、それをひっくり返し（他方の面に回転させ）、それを柄係合連結部２２上に置き、カートリッジ取り付け区画２０領域に連結し、刃１４の剃毛角は、前の剃毛面に対する角度と同じにする。刃１４は、柄の端部に向かって下方に角度がついており、他方のカートリッジ２側が使用されていない時には、刃１４は、柄６の端部から離れる上方に向けて角度がついている。外側刃先からの刃１４の角度は、密接して安全な剃毛ができるような剃毛面に対する角度である。刃１４と、質の高い剃毛ができる刃１４の角度を取付け設定する方法は数多くあり、本実施形態は、ここの両刃カートリッジ概念に関する現在周知の、あるいは将来的に開発されるあらゆる方法を含むものとする。
【００６７】
切断面は、刃１４の刃先が剃毛面、カートリッジ２面に対して、また、パッドや加湿パッド面に対して位置している領域である。両刃かみそりの両側の刃１４の刃先の高さ（下方または上方）は問わない。あるいは、パッド、加湿パッド、細片、剃毛面、カートリッジ２の面、剃毛カートリッジ２の面、面またはここで示すいずれかの面と同じ高さでもよい。カートリッジ２の外面は、実際の剃毛面よりも低い。剃毛面は、カートリッジ２の外面より高くてもよい。剃毛面は、パッド、細片、加湿パッド、中間のカートリッジ２部分、縁部（外側部）、または内側部を含んでいてもいなくてもよい。
【００６８】
図２６と２７でみられるように、カバー６０（キャップ）は、使用していないカートリッジ２の一方の面にかぶさる（遮蔽する）ように設計してもよい。柄６にかぶさる（遮蔽する）カバー６０（キャップ）を設けてもよい。両刃カートリッジ２は、カバー６０（キャップ）が刃１４と、カートリッジ２の使用していない部分を覆うことができるように設計してもよい。図２８及び２９でわかるように、刃１４とカートリッジ２の一部は、使用するため、カバーされていない。カバー６０（キャップ）は、カートリッジ２の上をスライドするか、あるいは、カートリッジ２にスナップで取り付ける。これは使用していない時に人がかみそりの後側で切傷を負わないように防ぐ。カバー６０（キャップ）は、カートリッジ２の縁部（１つまたは複数）、またはカートリッジ２の頂部のあらゆる部分をカバーすることができる。そして、取り付け区画２０とプッシュピン係合領域を露出させたままにするかみそりカートリッジ面８をカバーできる。図３０でみられるように、カバー６０（キャップ）は、カートリッジ端部１２またはカートリッジ面８側を覆う（遮蔽する）こともできる。カバー６０（キャップ）は、使用中に取り外して刃１４から毛をすすぎ落とし、必要な場合にはそれを付け直してもよい。この寸法、形状、設計は問わない。現在周知の、あるいは将来的に開発されるあらゆる材料から形成することができる。ここまで説明してきた柄６またはカートリッジ２やその他すべての仕様は、ここに示す、またはその他のタイプの両刃カートリッジ２と柄６の連結に適用できる。
【００６９】
カートリッジ２上のいずれかの場所にいくつかのパッドまたはパッド細片を設けて剃りやすくし、円滑な剃毛ができるようにしてもよい。パッドや細片の寸法または形状は問わない。固定は取り外し可能でも永久的でもよい。アロエベラ、ビタミンＥ、いずれかのタイプのスキンローション、スキン補助剤、あるいは肌に良く、剃毛に良いあらゆるものを含むことができる。パッドは、円滑な形状（例えば図２のパッド７０参照）、または溝、畝（例えば図２のパッド７２参照）、またはいずれかのタイプの表面を有していればよい。このパッドの剃毛面からの高さは問わない。剃毛面と面一でも、それより高くても、低くてもよい。パッドの高さはより高くして、剃っている間にパッドが皮膚の表面を守れるようにするのが好ましい。現在周知の、あるいは将来的に開発されるあらゆるパッド、細片、または加湿細片をこの両刃かみそりカートリッジ用に使用可能である。
【００７０】
両刃使い捨てかみそりは、本出願で述べてきたすべての交換可能な仕様と要素を有することができる。両刃使い捨てかみそりの形状、設計、寸法は問わない。現在周知の、あるいは将来的に開発されるあらゆる材料から形成することができる。
【００７１】
両刃使い捨てかみそりバージョンと、両面使い捨てでないかみそりバージョンとの違いは、使い捨ての刃１４とカートリッジ２は、安価な材料で形成でき、一度使用されたら廃棄されるように設計されている。ユーザは、両刃使い捨てかみそりの一側を使用し、使用し終わると、あるいは、刃１４の切れ味が悪くなると、それをひっくり返して（反対側に回転させて）かみそりの他の面を使用する。ユーザは、使い捨てかみそりで２倍剃ることができ、長時間使用できることによってコストも削減できる。
【００７２】
本実施形態の概念により、ユーザは、使い捨てかみそりの片側のみを使用する代わりに、２倍長持ちする使い捨て剃刃１４の両側を使用する。ユーザは、明細書ですでに説明したように、柄係合連結部２２領域をカートリッジ取り付け区画２０領域に対して連結、取り外しをする。
【００７３】
１つの実施形態では、両刃かみそり用スタンドで、両刃かみそりカートリッジを、例えば浴室のカウンター、シャワー、引出し、または他のあらゆる場所に保持することができる。これは、両刃かみそりカートリッジと柄を垂直または水平に保持するように設計できる。スタンドは、各刃１４の間に入り、使用していない間にはそれらを乾いた状態に保つ乾燥パッドを有していてもよい。
【００７４】
１つの実施形態では、両刃かみそり用カートリッジ交換パックまたは区画を設け、あらゆる数の両刃かみそりカートリッジを置くことができる。１つの実施形態では、交換パックを単体で別売り、または、柄とパックまたは複数のかみそりカートリッジを含む初回キット８０（図４３）の一部として販売してもよい。これらの交換パックは、両刃交換用カートリッジを内部に有して消費者に販売されてもよい。これらの両刃交換用カートリッジを使って、両側の刃の切れ味が悪くなったときに両刃カートリッジかみそりを交換することができる。この方法により、消費者は新しいかみそり柄を購入し続ける必要はなく、両刃かみそりカートリッジの交換パックを購入すれば済む。両刃かみそりカートリッジは、交換パックまたは区画にスナップフィットまたはピッタリと取り付けることができる。ユーザが柄係合連結部領域を使用し、それをカートリッジ面上のカートリッジ取り付け区画に挿入し、両刃カートリッジを引出して剃り始めることができるよう設計されてもよい。カートリッジ取り付け区画の連結は、交換パックベースのベースから上向きにして柄係合連結部によって完璧な位置に挿入することができる。
【００７５】
本発明について、ある程度、そして説明したいくつかの実施形態に対してその特殊性を説明してきたが、そのような特殊性もしくは実施形態、あるいは他の特定の実施形態に限定することを目的とするものではなく、従来の技術に鑑み、添付の特許請求の範囲を参照し、それら請求の範囲を最も広く解釈することよって、本発明の意図する範囲を効果的に含むと解釈するものである。さらに、これまで、本発明について権利を付与する説明が可能である、発明者が予測した実施形態で説明したが、本発明の、現在は予測できないわずかな変形も等価物を表すものである。
【符号の説明】
【００７６】
２  カートリッジ、６  柄、８  カートリッジ面、１４  刃、１６  溝、１８  刃溝、２０  カートリッジ取り付け区分、２２  柄係合連結部、２４  フランジ、２６  ブレードセンターピース、３２ａ  旋回バー要素、３４ａ  水平開口、３４ｂ  垂直開口、５８  突起、６０  カバー。
【図１】
0006653271.tif 000002
【図２】
0006653271.tif 000003
【図３】
0006653271.tif 000004
【図４】
0006653271.tif 000005
【図５】
0006653271.tif 000006
【図６】
0006653271.tif 000007
【図７】
0006653271.tif 000008
【図８】
0006653271.tif 000009
【図９】
0006653271.tif 000010
【図１０】
0006653271.tif 000011
【図１１】
0006653271.tif 000012
【図１２】
0006653271.tif 000013
【図１３】
0006653271.tif 000014
【図１４】
0006653271.tif 000015
【図１５】
0006653271.tif 000016
【図１６】
0006653271.tif 000017
【図１７】
0006653271.tif 000018
【図１８】
0006653271.tif 000019
【図１９】
0006653271.tif 000020
【図２０】
0006653271.tif 000021
【図２１】
0006653271.tif 000022
【図２２】
0006653271.tif 000023
【図２３】
0006653271.tif 000024
【図２４】
0006653271.tif 000025
【図２５】
0006653271.tif 000026
【図２６】
0006653271.tif 000027
【図２７】
0006653271.tif 000028
【図２８】
0006653271.tif 000029
【図２９】
0006653271.tif 000030
【図３０】
0006653271.tif 000031
【図３１】
0006653271.tif 000032
【図３２】
0006653271.tif 000033
【図３３】
0006653271.tif 000034
【図３４】
0006653271.tif 000035
【図３５】
0006653271.tif 000036
【図３６】
0006653271.tif 000037
【図３７】
0006653271.tif 000038
【図３８】
0006653271.tif 000039
【図３９】
0006653271.tif 000040
【図４０】
0006653271.tif 000041
【図４１】
0006653271.tif 000042
【図４２】
0006653271.tif 000043
【図４３】
0006653271.tif 000044